(57)【要約】【課題】スクリーンへの映像の投影を一時的に停止させた後でも、該映像を不連続に変化させることなく投影を再開することができるプロジェクタ装置を提供する。【解決手段】プロジェクタ装置においては、投影部２は、端末部１が保持ないしは表示している映像のデータを受信して、この映像をスクリーン４に投影する。端末部１は、ＨＤＤ５と、操作部６と、アンドゥ制御部８を有する画面制御部７と、ＣＰＵ部９とを備えている。投影部２は、画像メモリ部１０と、映像切替部１１と、映像投影部１２と、ＣＰＵ１４とを備えている。このプロジェクタ装置では、投影画像を停止させた後にファイルの閲覧等の画面操作を行っても、画面を停止させたときの状態に戻してから投影画像を停止画像から実画像に戻すので、切り替え時も同じ投影画像を継続して投影することができ、不連続な画面変化を伴わないスムーズなプレゼンテーションを行うことができる。【選択図】図１
2007226010.tif 000002
【特許請求の範囲】
【請求項１】
外部装置から表示情報の受信が可能な投影装置であって、
表示情報を投影する映像投影部と、
前記外部装置から受信した表示情報を記憶する投影情報記憶部と、
前記外部装置から受信した表示情報を前記投影情報記憶部に記憶させるか否かを選択する第１の選択手段と、
前記投影情報記憶部に記憶されている表示情報を投影するか、又は、前記外部装置から受信した表示情報を投影するかを決定する決定手段と、
前記投影情報記憶部に記憶されている表示情報を投影している時に、前記決定手段が、前記外部装置から受信した表示情報を投影すると決定した場合、前記投影情報記憶部に記憶されている表示情報と前記外部装置から受信した表示情報とが同一であるか否かを判定する判定手段と、
前記判定手段が、前記投影情報記憶部に記憶されている表示情報と前記外部装置から受信した表示情報とが同一でないと判定した場合、前記外部装置から受信した表示情報を投影するか、又は、前記投影情報記憶部に記憶されている表示情報を投影するかを選択する第２の選択手段と、
前記第２の選択手段が、前記投影情報記憶部に記憶されている表示情報を投影することを選択した場合、前記投影情報記憶部に記憶されている表示情報、前記判定手段の判定結果、又は、前記表示情報及び前記判定結果の両方を前記外部装置に通知する通知手段と、
を有することを特徴とする投影装置。
【請求項２】
前記外部装置が、特定の基点からの表示情報の編集内容を記憶した後、記憶している編集内容の編集作業を逆に実行して編集内容を元に戻すアンドゥ処理を行うアンドゥ手段を備えていることを特徴とする、請求項１に記載の投影装置。
【請求項３】
前記編集作業が前記アンドゥ手段によるアンドゥ処理が困難又は不可能な作業であるか否かを判定するアンドゥ可否判定手段と、
前記アンドゥ可否判定手段によりアンドゥ処理が困難又は不可能であると判定された編集作業の実行を禁止する編集制限手段とを備えていることを特徴とする、請求項２に記載の投影装置。
【請求項４】
前記編集作業が前記アンドゥ手段によるアンドゥ処理が困難又は不可能な作業であるか否かを判定するアンドゥ可否判定手段と、
前記アンドゥ可否判定手段によりアンドゥ処理が困難又は不可能であると判定された編集作業の実行が指示されたときに、アンドゥ処理が困難又は不可能である旨の警告を行うアンドゥ警告手段とを備えていることを特徴とする、請求項２に記載の投影装置。
【請求項５】
前記アンドゥ可否判定手段は、前記編集作業がデータの削除、更新又は上書きを伴っているときにアンドゥ処理が困難又は不可能であると判定することを特徴とする、請求項３又は４に記載の投影装置。
【請求項６】
前記外部装置が、特定の基点において表示情報の最上位のレイヤの画面操作を禁止するとともに、前記最上位のレイヤを最下位に移動させて固定するレイヤ制限手段と、
前記レイヤ制限手段が前記最上位のレイヤを移動させた後において任意の基点で、最下位に固定されているレイヤを最上位に戻すとともに、前記レイヤの画面操作の禁止を解除するレイヤ制限解除手段とを備えていることを特徴とする、請求項１に記載の投影装置。
【請求項７】
表示情報を投影する映像投影部を備えた投影装置に、前記表示情報の送信が可能なインターフェイスを介して接続されている端末装置であって、
前記表示情報を表示する表示部と、
前記投影装置に送信する表示情報を記憶する投影情報記憶部と、
前記投影装置に送信する表示情報を前記投影情報記憶部に記憶させるか否かを選択する第１の選択手段と、
前記投影情報記憶部に記憶されている表示情報を前記投影装置に送信するか、又は、前記表示部が表示している表示情報を前記投影装置に送信するかを決定する決定手段と、
前記投影情報記憶部に記憶されている表示情報を前記投影装置に送信している時に、前記決定手段が、前記表示部が表示している表示情報を前記投影装置に送信すると決定した場合、前記投影情報記憶部に記憶されている表示情報と前記表示部が表示している表示情報とが同一であるか否かを判定する判定手段と、
前記判定手段が、前記投影情報記憶部に記憶されている表示情報と前記表示部が表示している表示情報とが同一でないと判定した場合、前記投影情報記憶部に記憶されている表示情報を前記投影装置に送信するか、又は、前記表示部が表示している表示情報を前記投影装置に送信するかを選択する第２の選択手段と、
を有することを特徴とする端末装置。
【請求項８】
前記端末装置が、特定の基点からの表示情報の編集内容を記憶した後、記憶している編集内容の編集作業を逆に実行して編集内容を元に戻すアンドゥ処理を行うアンドゥ手段を備えていることを特徴とする、請求項７に記載の端末装置。
【請求項９】
前記編集作業が前記アンドゥ手段によるアンドゥ処理が困難又は不可能な作業であるか否かを判定するアンドゥ可否判定手段と、
前記アンドゥ可否判定手段によりアンドゥ処理が困難又は不可能であると判定された編集作業の実行を禁止する編集制限手段とを備えていることを特徴とする、請求項８に記載の端末装置。
【請求項１０】
前記編集作業が前記アンドゥ手段によるアンドゥ処理が困難又は不可能な作業であるか否かを判定するアンドゥ可否判定手段と、
前記アンドゥ可否判定手段によりアンドゥ処理が困難又は不可能であると判定された編集作業の実行が指示されたときに、アンドゥ処理が困難又は不可能である旨の警告を行うアンドゥ警告手段とを備えていることを特徴とする、請求項８に記載の端末装置。
【請求項１１】
前記アンドゥ可否判定手段は、前記編集作業がデータの削除、更新又は上書きを伴っているときにアンドゥ処理が困難又は不可能であると判定することを特徴とする、請求項９又は１０に記載の端末装置。
【請求項１２】
前記端末装置が、特定の基点において表示情報の最上位のレイヤの画面操作を禁止するとともに、前記最上位のレイヤを最下位に移動させて固定するレイヤ制限手段と、
前記レイヤ制限手段が前記最上位のレイヤを移動させた後において任意の基点で、最下位に固定されているレイヤを最上位に戻すとともに、前記レイヤの画面操作の禁止を解除するレイヤ制限解除手段とを備えていることを特徴とする、請求項７に記載の端末装置。
【請求項１３】
表示情報を投影する映像投影部を備えた投影装置と、
前記投影装置に、前記表示情報の送信が可能なインターフェイスを介して接続されている端末装置と、
前記端末装置と一体形成され、又は、前記端末装置に接続されている、第１の表示情報を表示する表示部と、
前記第１の表示情報を第２の表示情報として記憶する投影情報記憶部と、
前記第１の表示情報を第２の表示情報として前記投影情報記憶部に記憶させるか否かを選択する第１の選択手段と、
前記映像投影部に、第１の表示情報を投影させるか、又は、前記投影情報記憶部に記憶されている第２の表示情報を投影させるかを決定する決定手段と、
前記映像投影部が前記投影情報記憶部に記憶されている第２の表示情報を投影している時に、前記決定手段が、前記映像投影部に第１の表示情報を投影させると決定した場合、前記投影情報記憶部に記憶されている第２の表示情報と前記表示部が表示している第１の表示情報とが同一であるか否かを判定する判定手段と、
前記判定手段が、前記投影情報記憶部に記憶されている第２の表示情報と前記表示部が表示している第１の表示情報とが同一でないと判定した場合、前記映像投影部に、第１の表示情報を投影させるか、又は、前記投影情報記憶部に記憶されている第２の表示情報を投影させるかを選択する第２の選択手段と、
を有することを特徴とする投影システム装置。
【請求項１４】
前記端末装置が、特定の基点からの表示情報の編集内容を記憶した後、記憶している編集内容の編集作業を逆に実行して編集内容を元に戻すアンドゥ処理を行うアンドゥ手段を備えていることを特徴とする、請求項１３に記載の投影システム装置。
【請求項１５】
前記編集作業が前記アンドゥ手段によるアンドゥ処理が困難又は不可能な作業であるか否かを判定するアンドゥ可否判定手段と、
前記アンドゥ可否判定手段によりアンドゥ処理が困難又は不可能であると判定された編集作業の実行を禁止する編集制限手段とを備えていることを特徴とする、請求項１４に記載の投影システム装置。
【請求項１６】
前記編集作業が前記アンドゥ手段によるアンドゥ処理が困難又は不可能な作業であるか否かを判定するアンドゥ可否判定手段と、
前記アンドゥ可否判定手段によりアンドゥ処理が困難又は不可能であると判定された編集作業の実行が指示されたときに、アンドゥ処理が困難又は不可能である旨の警告を行うアンドゥ警告手段とを備えていることを特徴とする、請求項１４に記載の投影システム装置。
【請求項１７】
前記アンドゥ可否判定手段は、前記編集作業がデータの削除、更新又は上書きを伴っているときにアンドゥ処理が困難又は不可能であると判定することを特徴とする、請求項１５又は１６に記載の投影システム装置。
【請求項１８】
前記端末装置が、特定の基点において表示情報の最上位のレイヤの画面操作を禁止するとともに、前記最上位のレイヤを最下位に移動させて固定するレイヤ制限手段と、
前記レイヤ制限手段が前記最上位のレイヤを移動させた後において任意の基点で、最下位に固定されているレイヤを最上位に戻すとともに、前記レイヤの画面操作の禁止を解除するレイヤ制限解除手段とを備えていることを特徴とする、請求項１３に記載の投影システム装置。
【発明の詳細な説明】
【技術分野】
【０００１】
本発明は、スクリーン等への映像の投影を一時的に停止させた後でも、該映像を急に不連続に変化させることなく映像の投影を再開することができる投影システム装置と、該投影システム装置に用いることができる投影装置及び端末装置とに関するものである。
【背景技術】
【０００２】
パーソナルコンピュータ等の端末装置が保有ないしは表示している映像のデータを受信して該映像をスクリーンに投影し、複数の人に対して該映像のプレゼンテーションを行うようにしたプロジェクタシステム装置（投影システム装置）は従来知られている（例えば、特許文献１参照）。さらに、必要に応じてスクリーンに投影する映像を切り替えたり、あるいは一時的に映像の投影を中断したりする機能を備えたプロジェクタシステム装置も従来知られている（例えば、特許文献２参照）。
【０００３】
具体的には、例えば、端末装置が保有ないしは表示している映像をスクリーンに投影しているときに、端末装置でファイルの切り替え操作を行う必要が生じた場合（例えば、端末装置に保存されている他のファイルの内容確認が必要になったとき）などにおいて、その操作内容をスクリーンに表示したくない場合は一時的に投影画面を消したり、投影画面をロゴ等の所定の映像に切り替えたりするミュート機能や、投影されている映像の動きを一時的に停止させる静止機能を備えたプロジェクタシステム装置が知られている。
【特許文献１】特開２００１−２２８５３７号公報（［００１３］、図１）
【特許文献２】特開２００３−１０８１０８号公報（［００３４］、図２）
【発明の開示】
【発明が解決しようとする課題】
【０００４】
しかしながら、例えば特許文献２等に開示されている従来のプロジェクタシステム装置では、ミュート機能や静止機能は、単に投影画面を消したり映像の動きを停止させたりするだけの機能に過ぎない。一方、端末装置から出力されている映像は、ミュート機能や静止機能の実行中も進行ないしは変化しているので、この映像を、ミュート機能の実行開始時の場面から再開させたり、静止機能により映像の動きを停止させた場面から再開させたりすることはできない。このため、ミュート機能や静止機能を解除して映像の投影を再開したときには、映像の場面がすでに変化しているので該映像が急に不連続に変化し、スムーズなプレゼンテーションの流れを妨げてしまうといった問題がある。
【０００５】
本発明は、上記従来の問題を解決するためになされたものであって、スクリーンへの映像の投影を一時的に停止又は中断させた後において該映像の投影を再開するときに、該映像を急に不連続に変化させることなくスムーズなプレゼンテーションを行うことを可能にする手段を提供することを解決すべき課題とする。
【課題を解決するための手段】
【０００６】
上記課題を解決するためになされた本発明に係る投影システム装置用の投影装置は、外部装置（例えば、表示情報を表示する表示部を備えた端末装置）に接続されている（例えば、表示情報の受信が可能なインターフェイスを介して）。この投影装置は、映像投影部と、投影情報記憶部と、第１の選択手段と、決定手段と、判定手段と、第２の選択手段と、通知手段とを有している。
【０００７】
この投影装置において、映像投影部は、表示情報をスクリーン等に投影する。投影情報記憶部は、外部装置から受信した表示情報を記憶する。第１の選択手段は、外部装置から受信した表示情報を投影情報記憶部に記憶させるか否かを選択する。決定手段は、投影情報記憶部に記憶されている表示情報を投影するか、又は、外部装置から受信した表示情報を投影するかを決定する。判定手段は、投影情報記憶部に記憶されている表示情報を投影している時に、決定手段が、外部装置から受信した表示情報を投影すると決定した場合、投影情報記憶部に記憶されている表示情報と外部装置から受信した表示情報とが同一であるか否かを判定する。第２の選択手段は、判定手段が、投影情報記憶部に記憶されている表示情報と外部装置から受信した表示情報とが同一でないと判定した場合、外部装置から受信した表示情報を投影するか、又は、投影情報記憶部に記憶されている表示情報を投影するかを選択する。通知手段は、第２の選択手段が、投影情報記憶部に記憶されている表示情報を投影することを選択した場合、投影情報記憶部に記憶されている表示情報、判定手段の判定結果、又は、これらの表示情報及び判定結果の両方を外部装置に通知する。
【０００８】
本発明に係る投影システム装置用の端末装置は、表示情報を投影する映像投影部を備えた投影装置に、表示情報の送信が可能なインターフェイスを介して接続されている。この端末装置は、表示部と、投影情報記憶部と、第１の選択手段と、決定手段と、判定手段と、第２の選択手段とを有している。
【０００９】
この端末装置において、表示部は、表示情報を表示する。投影情報記憶部は、投影装置に送信する表示情報を記憶する。第１の選択手段は、投影装置に送信する表示情報を投影情報記憶部に記憶させるか否かを選択する。決定手段は、投影情報記憶部に記憶されている表示情報を投影装置に送信するか、又は、表示部が表示している表示情報を投影装置に送信するかを決定する。判定手段は、投影情報記憶部に記憶されている表示情報を投影装置に送信している時に、決定手段が、表示部が表示している表示情報を投影装置に送信すると決定した場合、投影情報記憶部に記憶されている表示情報と表示部が表示している表示情報とが同一であるか否かを判定する。第２の選択手段は、判定手段が、投影情報記憶部に記憶されている表示情報と表示部が表示している表示情報とが同一でないと判定した場合、投影情報記憶部に記憶されている表示情報を投影装置に送信するか、又は、表示部が表示している表示情報を投影装置に送信するかを選択する。
【００１０】
本発明に係る投影システム装置は、表示情報を投影する映像投影部を備えた投影装置と、表示情報の送信が可能なインターフェイスを介して投影装置に接続されている端末装置と、表示部と、投影情報記憶部と、第１の選択手段と、決定手段と、判定手段と、第２の選択手段とを有している。
【００１１】
この投影システム装置において、表示部は、端末装置と一体形成され、又は、端末装置に接続され、第１の表示情報を表示する。投影情報記憶部は、第１の表示情報を第２の表示情報として記憶する。第１の選択手段は、第１の表示情報を第２の表示情報として投影情報記憶部に記憶させるか否かを選択する。決定手段は、映像投影部に、第１の表示情報を投影させるか、又は、投影情報記憶部に記憶されている第２の表示情報を投影させるかを決定する。判定手段は、映像投影部が投影情報記憶部に記憶されている第２の表示情報を投影している時に、決定手段が、映像投影部に第１の表示情報を投影させると決定した場合、投影情報記憶部に記憶されている第２の表示情報と表示部が表示している第１の表示情報とが同一であるか否かを判定する。第２の選択手段は、判定手段が、投影情報記憶部に記憶されている第２の表示情報と表示部が表示している第１の表示情報とが同一でないと判定した場合、映像投影部に、第１の表示情報を投影させるか、又は、投影情報記憶部に記憶されている第２の表示情報を投影させるかを選択する。
【００１２】
本発明に係る投影装置、端末装置又は投影システム装置においては、外部装置又は端末装置が、特定の基点からの表示情報の編集内容を記憶した後、記憶している編集内容の編集作業を逆に実行して編集内容を元に戻すアンドゥ処理を行うアンドゥ手段を備えているのが好ましい。この場合、編集作業がアンドゥ手段によるアンドゥ処理が困難又は不可能な作業であるか否かを判定するアンドゥ可否判定手段と、アンドゥ可否判定手段によりアンドゥ処理が困難又は不可能であると判定された編集作業の実行を禁止する編集制限手段とを備えているのが好ましい。あるいは、上記アンドゥ可否判定手段と、アンドゥ可否判定手段によりアンドゥ処理が困難又は不可能であると判定された編集作業の実行が指示されたときにアンドゥ処理が困難又は不可能である旨の警告を行うアンドゥ警告手段とを備えているのも好ましい。なお、アンドゥ可否判定手段は、例えば、編集作業がデータの削除、更新又は上書きを伴っているときにアンドゥ処理が困難又は不可能であると判定する。
【００１３】
本発明に係る投影装置、端末装置又は投影システム装置においては、外部装置又は端末装置が、特定の基点において表示情報の最上位のレイヤの画面操作を禁止するとともに最上位のレイヤを最下位に移動させて固定するレイヤ制限手段と、レイヤ制限手段が最上位のレイヤを移動させた後において任意の基点で最下位に固定されているレイヤを最上位に戻すとともに該レイヤの画面操作の禁止を解除するレイヤ制限解除手段とを備えていてもよい。
【００１４】
要するに、本発明に係る投影システム装置は、投影画像を一時記憶する手段と、編集画像と一時記憶された画像とを切り替えて投影する手段と、一時記憶された画像から編集画像に復旧させるときに両画像の一致／不一致を判定する手段と、一致／不一致の判断に応じて投影する画像を選択する手段を備え、さらには外部装置又は端末装置の編集操作をアンドゥする手段、又は、レイヤの固定と入れ替えと解除とを行うレイヤ制御手段により画面を停止させたときの画面状況に復旧させる手段とを備えていることを特徴とする。この投影システム装置は、必要に応じて復旧が不能になる操作に対して禁止又は警告する手段を有していてもよい。
【発明の効果】
【００１５】
本発明に係る投影装置、端末装置又は投影システム装置によれば、投影画像を停止させた後にファイルの閲覧等の画面操作を行っても、画面を停止させたときの状態に戻してから投影画像を停止画像から実画像に戻すので、切り替え時も同じ投影画像を継続することができ、急な画面変化を伴わないスムーズなプレゼンテーションを行うことができる。
【発明を実施するための最良の形態】
【００１６】
以下、添付の図面を参照しつつ、本発明を実施するための最良の形態（実施の形態）を具体的に説明する。なお、添付の各図において、共通する各要素には、同一の参照番号が付されている。
【００１７】
（実施の形態１）
図１は、本発明の実施の形態１に係る投影システム装置ないしはプロジェクタシステム装置（以下、略して「プロジェクタ装置」という。）の構成及び機能を示すブロック図である。図１に示すように、このプロジェクタ装置は、大様にみれば、端末部１（外部装置ないしは端末装置）と投影部２（投影装置）とで構成されている。ここで、端末部１は、投影すべきファイルデータのオープン、変更、レイアウト及び保存等を行うほか、ウインドウ操作と、アプリケーションソフトによる画像表示を含む投影画像（表示情報）の処理操作とを行う。他方、投影部２は、端末部１から投影画像を受け取り（受信し）、この投影画像を光学イメージに変換して外部のスクリーン４に投影する。
【００１８】
ディスプレイ部３（表示部）は、端末部１における画面操作を視覚的に監視（モニタリング）する。なお、ディスプレイ部３は、端末部１と共通の筺体（ケーシング）に収納されている形態と、外部の筺体に収納されビデオケーブル等（図示せず）によって端末部１に接続されている形態のいずれであってもよい。このプロジェクタ装置では、後述の画像メモリ部１０（画面メモリ部）及び映像切替部１１は投影部２内に設けられ、画像メモリ部１０又は映像切替部１１に係る記憶信号、切り替え信号及び画像一致信号は投影部２内に存在する。しかしながら、画像メモリ部１０及び映像切替部１１を端末部１内に設けてもよい（図２参照）。
【００１９】
以下、図１を参照しつつ、端末部１及び投影部２の内部の構成及び機能を具体的に説明する。まず、端末部１について説明する。ハードディスクドライブ５（以下「ＨＤＤ５」という。）は、磁気記録媒体（磁気記録メディア）であり、画面操作を実行するためのシステムソフトウェアを格納している。端末部１に電源を投入する毎にＨＤＤ５が起動され、システムソフトウェアが実行される。これにより、後述の画面制御部７における操作者ないしはユーザーによる編集作業が可能となる。また、ＨＤＤ５は、アプリケーションソフトや、投影画像を含む作成されたデータも保存している。操作部６は、キーボードやマウスなどの入力デバイスで構成され、操作者の入力動作を、後述の画面制御部７ないしは中央処理ユニット部９（以下「ＣＰＵ部９」という。）への操作指示信号に変換する。
【００２０】
画面制御部７は、ＨＤＤ５により起動されたシステムソフトウェアでもって、操作部６からの指示に従って表示ウインドウのレイアウト操作を実行する。また、画面制御部７は、ＨＤＤ５内に格納されているアプリケーションソフトの起動、操作又は終了を実行したり、アプリケーションソフトを操作したりし、ＨＤＤ５内のデータを編集して保存する。さらに、画面制御部７は、システムソフトウェアによって表示される画面操作状況を表示画像イメージとして出力する。表示画像イメージは、ディスプレイ部３に入力され、リアルタイム画像として表示される。
【００２１】
画面制御部７内にはアンドゥ制御部８が設けられている。このアンドゥ制御部８は、特定の基点からの画面操作された内容を操作毎に順に記憶し、これらの複数の操作を実行した後、記憶された操作を逆方向に実行し、特定の基点の状態に戻す機能を有している。この機能は一般に「アンドゥ」と呼ばれ、従来のアプリケーションの多くはこのアンドゥ機能を搭載している。操作者が行った操作の各作業単位毎に、該各作業についての情報を格納しているアンドゥファイルを作成し、これを端末部１内のＨＤＤ５等の不揮発性メモリに保存しておくことにより、任意のタイミングでアンドゥファイルに基づいてアンドゥを実施することができる。同様の機能をシステムソフトウェアにも設けることにより、アンドゥをシステムソフトウェア上で実施して、アプリケーションを含めたトータルの画面操作の復元を実現することができる。
【００２２】
ＣＰＵ部９は、端末部１内の各要素の動作を制御するための種々の機能を有する。ＣＰＵ部９のこれらの機能には、操作部６で実行された操作者の入力動作を画面制御部７の操作に反映させる機能も含まれている。また、ＣＰＵ部９は、投影部２を構成する後述の映像切替部１１を切り替える「切り替え信号」を制御する機能も有する。
【００２３】
次に、投影部２の内部の構成及び機能を説明する。画像メモリ部１０は、多数のメモリ素子を有し、端末部１の画面制御部７が任意のタイミングで出力する表示画像イメージ（表示情報）を静止画像データとして記憶する機能と、この静止画像データを映像切替部１１に出力する機能とを有する。映像切替部１１は、端末部１のＣＰＵ部９にリンクされた中央処理装置１４（以下「ＣＰＵ１４」という。）から入力される切り替え信号に応じて、画面制御部７が出力するリアルタイムの表示画像イメージと、画像メモリ部１０が記憶して出力した静止画像のうちのいずれか一方を入力信号として選択し、選択した信号を映像投影部１２に出力する映像選択機能を有している。さらに、映像切替部１１は、画面制御部７が出力するリアルタイムの表示画像イメージと、画像メモリ部１０が記憶して出力した静止画像とを比較し、両画像が一致しているか否かを判定し、その判定結果を画像一致信号として出力する機能も有している。映像投影部１２は、入力された映像データ信号を液晶上に作像し、図示していない投影ランプとレンズとにより、スクリーン４に映像ないしは画像を投影する。
【００２４】
図２は、本発明の実施の形態１の変形例に係るプロジェクタ装置の構成及び機能を示すブロック図である。図２に示すように、この実施の形態１の変形例に係るプロジェクタ装置では、図１に示すプロジェクタ装置では投影部２内に設けられている画像メモリ部１０（画面メモリ部）及び映像切替部１１が端末部１内に設けられ、画像メモリ部１０又は映像切替部１１に係る記憶信号、切り替え信号及び画像一致信号は端末部１内に存在する。また、図１に示すプロジェクタ装置では投影部２内に設けられているＣＰＵ１４は設けられていない。その他の点は、図１に示すプロジェクタ装置と同様である。画像メモリ部１０及び映像切替部１１が端末部１側に設けられているか、投影部２側に設けられているかの違いはあるものの、図２に示すプロジェクタ装置の動作及び機能は、基本的には、図１に示すプロジェクタ装置の動作及び機能と同様である。
【００２５】
以下、図１又は図２に示す実施の形態１ないしはその変形例に係るプロジェクタ装置の具体的な映像切替処理の処理手順を説明する。なお、この映像切替処理は、スクリーン４に投影されている通常の映像ないしは画像を画像メモリ部１０に記憶されている静止画像に切り替える処理（図３（ａ））と、この静止画像を通常の映像ないしは画像に切り替える処理（図３（ｂ））とに分けられる。
【００２６】
まず、図３（ａ）に示すフローチャートに従って、通常の映像ないしは画像を静止画像に切り替える処理手順を説明する。通常の状態でプロジェクタ装置の使用が開始されると、まず、ＣＰＵ部９又はＣＰＵ１４は、映像切替部１１に送る切り替え信号を、画面制御部７の出力画像を選択する方の信号に設定し、その結果プロジェクタ装置は、ディスプレイ部３と同じ映像ないしは画像をスクリーン４に投影する通常の状態（以下「スルー設定」という。）となる（ステップＳ１）。この設定操作は、図１に示すプロジェクタ装置の場合はＣＰＵ１４が実施し、図２に示すプロジェクタ装置の場合はＣＰＵ部９が実施する（なお、ＣＰＵ部９又はＣＰＵ１４によるその他の画像メモリ部１０又は映像切替部１１に係る操作についても同様である。）。
【００２７】
そして、操作者による投影映像の固定指示（記憶指示）の入力があったか否かを判定する（ステップＳ２）。ここで、固定指示の入力がなければ（ＮＯ）、このステップＳ２を繰り返し実行する。すなわち、操作者による投影映像の固定指示の入力を待つ。この固定指示の入力は、プロジェクタ装置本体に設けられた機械的な固定／解除ボタンで行ってもよく、また端末部１のディスプレイ部３に表示される操作ボタン等のアイコンを指示（クリック）することにより行ってもよい。また、この入力をプロジェクタ装置に付属のリモコンからの指示により行ってもよい。なお、固定指示の入力の有無は、ＣＰＵ部９又はＣＰＵ１４が判定する。
【００２８】
ステップＳ２で、投影映像の固定指示の入力があったと判定した場合（ＹＥＳ）、画像メモリ部１０は、画面制御部７から出力された投影画像を静止画像として記憶する（ステップＳ３）。続いて、ＣＰＵ部９又はＣＰＵ１４は、映像切替部１１の出力を画像メモリ部１０が出力する静止画像（メモリ画像）に切り替えるか否かを決定する（ステップＳ４）。切り替えない場合は（ＮＯ）、このステップＳ４を繰り返し実行する。他方、切り替える場合は（ＹＥＳ）、切り替え信号を操作して、映像切替部１１の出力を画像メモリ部１０の出力する静止画像に切り替える（ステップＳ５）。この時点で、スクリーン４の投影画像は、画像メモリ部１０に記憶された静止画像に固定される。
【００２９】
次に、図３（ｂ）に示すフローチャートに従って、静止画像を通常の映像ないしは画像に切り替える処理手順を説明する。スクリーン４の投影画像として、画像メモリ部１０に記憶された画像が選択されている状態では、端末部１の画面操作はスクリーン４に反映されない（ステップＳ６）。このため、端末部１で画面操作を行っても、スクリーン４の映像を見ている人に端末部１での操作内容を見られることはない。
【００３０】
そして、操作者による投影映像の固定解除指示の入力があったか否かを判定する（ステップＳ７）。ここで、固定解除指示の入力がなければ（ＮＯ）、このステップＳ７を繰り返し実行する。すなわち、操作者による投影映像の固定解除指示の入力を待つ。この固定解除指示の入力は、プロジェクタ装置本体に設けられた固定／解除ボタンで行ってもよく、また端末部１のディスプレイ部３に表示される操作ボタン等を指示（クリック）することにより行ってもよい。また、この入力をプロジェクタ装置に付属のリモコンからの指示により行ってもよい。なお、固定解除指示の入力の有無は、ＣＰＵ部９又はＣＰＵ１４が判定する。
【００３１】
ステップＳ７で、投影映像の固定解除指示の入力があったと判定した場合（ＹＥＳ）、映像切替部１１に内蔵された映像比較手段（図示せず）は、画像メモリ部１０に記憶されている画像データと、画面制御部７から受信した画像データとを比較し、その差の有無ないしは両画像データの一致・不一致を判定する（ステップＳ８）。ここで、両画像データが一致していると判定した場合は（ＹＥＳ）、ＣＰＵ部９又はＣＰＵ１４は、映像切替部１１に送る切り替え信号を、画面制御部７の出力画像を選択する方の信号に設定し、その結果プロジェクタ装置は、ディスプレイ部３と同じ映像ないしは画像をスクリーン４に投影する通常の状態、すなわちスルー設定状態となる（ステップＳ９）。
【００３２】
他方、ステップＳ８で、画像メモリ部１０に記憶されているデータと、画面制御部７から受信した画像データとが不一致であると判定した場合（ＮＯ）、映像切替部１１に内蔵された映像比較手段（図示せず）は、両画像データが不一致であるのにもかかわらずスクリーン映像を強制的に切り替えるかどうかを判定する（ステップＳ１０）。ここで、両画像データが不一致でも強制的に切り替えると判定した場合は（ＹＥＳ）、スクリーン投影画像に変化が生じることをＣＰＵ部９又はＣＰＵ１４に通知し（ステップＳ１１）、この後ステップＳ９を実行する。ステップＳ９では、前記のとおり、ＣＰＵ部９又はＣＰＵ１４は、映像切替部１１に送る切り替え信号を、画面制御部７の出力画像を選択する方の信号に設定する。
【００３３】
逆に、ステップＳ１０で、両画像データが不一致であるので映像の強制的な切り替えを禁止すると判定した場合は（ＮＯ）、両画像データが不一致であるので切り替えを行わない旨（ないしは切り替え不可能の旨）をＣＰＵ部９又はＣＰＵ１４に通知し（ステップＳ１２）、この後ステップＳ７に戻って、次の操作者による投影映像の固定解除の指示の入力を待つ。
【００３４】
ところで、図３（ｂ）に示すフローチャートでは、画像メモリ部１０に記憶されているデータと画面制御部７から受信した画像データとが不一致である場合、ステップＳ１０で、スクリーン映像を強制的に切り替えるかどうかの判定を行うようにしている。しかしながら、このステップＳ１０に係る判定機能は必須ではないので省略してもよく、両画像データが不一致である場合は無条件にステップＳ１２を実行して、ステップＳ７に戻るようにしてもよい。また、両画像データの一致、不一致にかかわらず、無条件にステップＳ９を実行するようにしてもよい。
【００３５】
図４は、図１又は図２に示すプロジェクタ装置におけるもう１つの映像切替処理の処理手順を示すフローである。以下、図４に示すフローチャートに従って、この映像切替処理の処理手順を具体的に説明する。この映像切替処理では、通常の状態でプロジェクタ装置の使用が開始されると、まず、ＣＰＵ部９又はＣＰＵ１４は、映像切替部１１に送る切り替え信号を、画面制御部７の出力画像を選択する方の信号に設定し、その結果プロジェクタ装置は、ディスプレイ部３と同じ映像ないしは画像をスクリーン４に投影するスルー設定状態となる（ステップＳ２１）。
【００３６】
そして、操作者による投影映像の固定指示の入力があったか否かを判定する（ステップＳ２２）。ここで、固定指示の入力がなければ（ＮＯ）、このステップＳ２２を繰り返し実行する。すなわち、操作者による投影映像の固定指示の入力を待つ。この固定指示の入力は、プロジェクタ装置本体に設けられた固定／解除ボタンで行ってもよく、また端末部１のディスプレイ部３に表示される操作ボタン等を指示（クリック）することにより行ってもよい。また、この入力をプロジェクタ装置に付属のリモコンからの指示により行ってもよい。なお、固定指示の入力の有無は、ＣＰＵ部９又はＣＰＵ１４が判定する。
【００３７】
ステップＳ２２で、ＣＰＵ部９又はＣＰＵ１４が投影映像の固定指示の入力があったと判定した場合（ＹＥＳ）、画像メモリ部１０は、画面制御部７から出力された投影画像を静止画像として記憶する（ステップＳ２３）。続いて、ＣＰＵ部９又はＣＰＵ１４は、切り替え信号を操作して、映像切替部１１の出力を、画像メモリ部１０が出力する静止画像に切り替える（ステップＳ２４）。この時点で、スクリーン４の投影画像は固定される。
【００３８】
次に、画面制御部７内のアンドゥ制御部８が、編集操作内容の記録処理を開始する（ステップＳ２５）。続いて、ＣＰＵ部９は、編集作業が終了したか否かを判定する（ステップＳ２６）。すなわち、ＣＰＵ部９は、記憶が必要な編集作業の終了を監視しながら、その終了を待つ。この判定は、操作者（ユーザー）からの編集作業完了の指示の有無に基づいて行う。この指示の入力は、プロジェクタ装置本体に設けられた固定／解除ボタンで行ってもよく、また端末部１のディスプレイ部３に表示される操作ボタン等を指示（クリック）することにより行ってもよい。また、この入力をプロジェクタ装置に付属のリモコンからの指示により行ってもよい。ステップＳ２６で、編集作業が終了していないと判定した場合は（ＮＯ）後述のステップＳ２７を実行し、他方編集作業が終了したと判定した場合は（ＹＥＳ）後述のステップＳ３４を実行する。
【００３９】
ステップＳ２６で編集作業が終了していないと判定した場合は（ＮＯ）、ＣＰＵ部９は、編集操作が実施されたか否かを検出する（ステップＳ２７）。ここで、編集操作の実施を検出しなかった場合は（ＮＯ）、ステップＳ２６に戻り、編集操作が実施されるか、又は編集作業終了の指示があるまで、ステップＳ２６とステップＳ２７とを繰り返し実行する。
【００４０】
ステップＳ２７で、編集操作の実施を検出した場合は（ＹＥＳ）、実行された編集作業はアンドゥが可能な操作であるか否かを判定する（ステップＳ２８）。この実施の形態に係るプロジェクタ装置では、アンドゥが可能であるか否かの判定は、元に戻すことが不可能なファイルの消去、保存又は上書きを伴っているか否かで行うようにしている。なお、表示画面に影響を及ぼさないファイル操作は除外してもよい。
【００４１】
ステップＳ２８で、アンドゥが可能である判定した場合は（ＹＥＳ）、後にアンドゥ処理を実施するための編集操作情報を記録し（ステップＳ２９）、この後ステップＳ２６に戻る。他方、ステップＳ２８でアンドゥが可能でない（ないしは困難である）と判定した場合は（ＮＯ）、アンドゥが不可能（ないしは困難）である旨の警告、例えば「アンドゥが不可能な操作が行われました。『実行』のボタンを選択すると、記録しているアンドゥのための操作情報を破棄します。実行しますか？」との警告を表示するとともに、二者択一の「実行」のボタン及び「キャンセル」のボタンをディスプレイ部３に表示する（ステップＳ３０）。
【００４２】
そして、操作者が「実行」のボタン及び「キャンセル」のボタンのいずれを選択したか、すなわち編集内容を破棄するか否かを判定する（ステップＳ３１）。ここで、「キャンセル」のボタンが選択された場合、すなわち編集内容を破棄しないと判定した場合は（ＮＯ）、アンドゥが不可能な編集を実行せず、ステップＳ２６に戻って、次の編集操作を待つ。他方、ステップＳ３１で、「実行」のボタンが選択された場合、すなわち編集内容を破棄すると判定した場合は（ＹＥＳ）、アンドゥより編集作業の実行を優先し、これまで記憶していたアンドゥのための編集操作の記録情報を破棄（クリア）する（ステップＳ３２）。この後、編集操作内容を記録することのない通常の編集操作を実施する（ステップＳ３３）。ステップＳ３３における通常の編集操作が終了すると、後述のステップＳ３６を実行する。
【００４３】
ところで、前記のステップＳ２６で編集作業が終了したと判定した場合は（ＹＥＳ）、これまで記録していた編集情報を操作毎にひとつずつ逆方向に実行してアンドゥ処理を行う（ステップＳ３４）。次に、アンドゥ処理が完了したか否か、すなわち全ての操作がアンドゥされたか否かを判定する（ステップＳ３５）。ここで、アンドゥ処理が完了していないと判定した場合は（ＮＯ）、ステップＳ３４に戻ってアンドゥ処理を続行する。
【００４４】
他方、ステップＳ３５でアンドゥ処理が完了していると判定した場合、すなわち全ての操作がアンドゥされている場合は（ＹＥＳ）、ディスプレイ部３から出力される映像ないしは画像と、画像メモリ部１０から出力される映像ないしは画像は同一のものとなる。そこで、ＣＰＵ部９又はＣＰＵ１４は、映像切替部１１に送る切り替え信号を、画面制御部７の出力画像を選択する方の信号に設定し、その結果プロジェクタ装置は、ディスプレイ部３と同じ映像ないしは画像をスクリーン４に投影するスルー設定状態となる（ステップＳ３６）。
【００４５】
図４に示す映像切替処理によれば、ステップＳ３５の段階で、映像切替部１１に入力される、ディスプレイ部３から出力される映像ないしは画像と画像メモリ部１０から出力される映像ないしは画像とが一致しているので、「スルー設定」に切り替えたときにもスクリーン４の投影画像には不連続な変化は生じない。このため、内容が途切れることのないスムーズなプレゼンテーションを継続することができる。
【００４６】
但し、ステップＳ３１で、編集内容の破棄を選択した場合は、ステップＳ３６における画像切り替え操作時に、映像切替部に入力される、ディスプレイ部３から出力される映像ないしは画像と画像メモリ部１０から出力される映像ないしは画像とが一致しないので、映像ないしは画像の切り替えにより、スクリーン画像が急に不連続に変化する。これは、ステップＳ３１で編集操作を優先したために生じる。
【００４７】
図４に示すフローチャートでは、ステップＳ２８でアンドゥが可能であるか否かを判定し、アンドゥが可能でない場合はステップＳ３０〜Ｓ３３を実行するようにしている。しかしながら、アンドゥが可能であるか否かの判定を省略し、ステップＳ２８及びステップＳ３０〜Ｓ３３の処理を削除してもよい。この場合、ステップＳ２８でアンドゥが不可能であると判定した編集操作（ファイルのコピー、移動、消去、保存）は禁止される。なお、ファイルの保存を禁止した場合でも、ウインドウやファイルのオープン、クローズ、移動、変形、スクロール、閲覧、ページ送り、印刷等の編集作業は可能である。
【００４８】
前記のとおり、本発明の実施の形態１ないしはその変形例に係るプロジェクタ装置（プロジェクタシステム装置）では、映像切替部１１によって映像投影部１２の出力映像が固定されている間に行われた編集操作を、アンドゥ制御部８により元に戻した後、映像切替部１１によって、映像投影部１２の出力を編集画面に切り替える。これにより、スクリーン４等への投影画面が急に不連続に切り替わることのないプレゼンテーションが可能となる。また、復旧不可能な操作に対して、警告や禁止を行うことにより、不具合の発生を未然に防ぐことができる。
【００４９】
（実施の形態２）
以下、図５及び図６を参照しつつ、本発明の実施の形態２を具体的に説明する。ただし、実施の形態２に係るプロジェクタ装置は、図１に示す実施の形態１に係るプロジェクタ装置と多くの共通点を有するので、説明の重複を避けるため、以下では主として実施の形態１に係るプロジェクタ装置と異なる点を説明する。
【００５０】
図５は、本発明の実施の形態２に係るプロジェクタ装置の構成及び機能を示すブロック図である。図５に示すように、実施の形態２に係るプロジェクタ装置では、端末部１を構成する画面制御部（編集制御部）７内に、表示画面の表示レイヤの上下移動と、特定レイヤへの操作の禁止及びその解除とを管理するレイヤ管理部１３が設けられている。また、実施の形態２に係るプロジェクタ装置では、レイヤ管理部１３によってスクリーン４の投影画像の特定レイヤを固定している間にディスプレイ部３を操作して、固定されたレイヤ以外のレイヤの編集操作を行うようにしている。このため、編集作業画面をスクリーン４に表示することなく編集操作の実行が可能となる。
【００５１】
また、図５に示す画面制御部７内のレイヤ管理部１３はビデオメモリ手段（図示せず）を有している。そして、このビデオメモリ手段は、ベース画像データと、レイヤ毎の画像情報データとを保存管理し、ベース画像の上にレイヤ毎の画像を重ね合わせてこれらを合成し、１枚の合成画像を生成する機能を持つ。また、レイヤ管理部１３は、各レイヤの重ね合せの順序を管理変更する情報も有している。さらに、レイヤ管理部１３は、個々のレイヤをウインドウとして管理し、指定したウインドウを通常サイズから画面一杯のフル画面サイズに拡大する機能と、フル画面サイズのウインドウを通常サイズに戻す機能を有する手段（図示せず）を有している。その他の点は、図１に示す実施の形態１に係るプロジェクタ装置と同様である。
【００５２】
以下、図６に示すフローチャートに従って、図５に示す実施の形態２に係るプロジェクタ装置の具体的な映像切替処理の処理手順を説明する。図６に示すように、この映像切替処理では、通常の状態でプロジェクタ装置の使用が開始されると、まず、ＣＰＵ１４は、映像切替部１１に送る切り替え信号を、画面制御部７の出力画像を選択する方の信号に設定し、その結果プロジェクタ装置は、ディスプレイ部３と同じ映像ないしは画像をスクリーン４に投影するスルー設定状態となり、プレゼンテーションが開始される（ステップＳ４１）。なお、表示レイヤ管理部１３の機能の初期値は、ＯＦＦ設定である。
【００５３】
そして、操作者による投影映像の固定指示の入力があったか否かを判定する（ステップＳ４２）。ここで、固定指示の入力がなければ（ＮＯ）、このステップＳ４２を繰り返し実行する。すなわち、操作者による投影映像の固定指示の入力を待つ。この固定指示の入力は、プロジェクタ装置本体に設けられた固定／解除ボタンで行ってもよく、また端末部１のディスプレイ部３に表示される操作ボタン等を指示（クリック）することにより行ってもよい。また、この入力をプロジェクタ装置に付属のリモコンからの指示により行ってもよい。なお、固定指示の入力の有無は、ＣＰＵ部９又はＣＰＵ１４が判定する。
【００５４】
ステップＳ４２で、ＣＰＵ部９又はＣＰＵ１４が投影映像の固定指示の入力があったと判定した場合（ＹＥＳ）、すなわちＣＰＵ部９又はＣＰＵ１４が投影映像の固定指示の入力を認識した場合、レイヤ制御部１３は、必要に応じて、最上位のレイヤを全画面表示に切り替える（ステップＳ４３）。続いて、画像メモリ部１０は、画面制御部７から出力された投影画像を静止画像として記憶する（ステップＳ４４）。
【００５５】
続いて、ＣＰＵ１４は、切り替え信号を操作して、映像切替部１１の出力を画像メモリ部１０が出力する静止画像に切り替え、ないしは変更する（ステップＳ４５）。この時点でスクリーン４の投影画像は静止画像として固定される。そして、レイヤ制御手段１３は、固定対象である最上位のレイヤ（対象レイヤ）に、その編集操作を禁止する固定処理を施す（ステップＳ４６）。続いて、レイヤ制御手段１３は、ステップＳ４６で編集操作を禁止する固定処理を施した最上位のレイヤ（対象レイヤ）を最下位に移動させる（ステップＳ４７）。この後、操作者は、編集作業を実施する（ステップＳ４８）。すなわち、操作者（ユーザー）は、対象レイヤ以外のレイヤに対して、通常通り自由に、オープン、クローズ、編集、消去、保存等の操作を施すことができる。
【００５６】
次に、ＣＰＵ部９は、編集作業が終了したか否かを判定し（ステップＳ４９）、終了していなければ（ＮＯ）、このステップＳ４９を繰り返し実行する。すなわち、ＣＰＵ部９は、記憶が必要な編集作業の終了を監視しながら、その終了を待つ。この判定は、操作者（ユーザー）からの編集作業完了の指示の有無に基づいて行う。この指示の入力は、プロジェクタ装置本体に設けられた固定／解除ボタンで行ってもよく、また端末部１のディスプレイ部３に表示される操作ボタン等を指示（クリック）することにより行ってもよい。また、この入力をプロジェクタ装置に付属のリモコンからの指示により行ってもよい。
【００５７】
ステップＳ４９で編集作業が終了したと判定した場合は（ＹＥＳ）、最下位に固定されていた対象レイヤの操作を禁止する固定処理を解除し、その操作を可能にする（ステップＳ５０）。この後、直ちに、最下位の対象レイヤを最上位に移動させる（ステップＳ５１）。この時点で、ディスプレイ部３が出力する映像ないしは画像と、画像メモリ部１０が出力する映像ないしは画像とが同一のものとなる。
【００５８】
続いて、ＣＰＵ部９は、映像切替部１１に送る切り替え信号を、画面制御部７の出力画像を選択する方の信号に設定し、その結果プロジェクタ装置は、ディスプレイ部３と同じ映像ないしは画像をスクリーン４に投影するスルー設定状態となる（ステップＳ５２）。ステップＳ５１の段階で、映像切替部１１への入力は一致しているので、「スルー設定」に変わってもスクリーンの投影画像には不連続な変化が生じない。このため、内容が途切れることのないスムーズなプレゼンテーションを継続することができる。
【００５９】
前記のとおり、本発明の実施の形態２に係るプロジェクタ装置（プロジェクタシステム装置）では、映像切替部１１によって映像投影部１２の出力映像が固定されている間に、レイヤ管理部１３により、レイヤ操作制限の実行と、操作制限を受けていないレイヤの操作と、その後のレイヤ操作制限の解除とを行うようにしている。これにより、映像切替部１１によって映像投影部１２の投影映像の出力を編集画面に切り替えても、スクリーン４等への投影画面が急に不連続に切り替わることのないプレゼンテーションの実施が可能となる。
【００６０】
以上、本発明によれば、プロジェクタ操作中に、スクリーンを見ている人に見せたくない画面操作を裏操作で実行することができ、急な画面変化を伴わないスムーズなプレゼンテーションを可能にするプロジェクタシステムを提供することができる。
【図面の簡単な説明】
【００６１】
【図１】本発明の実施の形態１に係るプロジェクタ装置（プロジェクタシステム装置）の構成及び機能を示すブロック図である。
【図２】本発明の実施の形態１の変形例に係るプロジェクタ装置の構成及び機能を示すブロック図である。
【図３】（ａ）及び（ｂ）は、実施の形態１又はその変形例に係るプロジェクタ装置の映像切替処理の処理手順を示すフローチャートである。
【図４】実施の形態１又はその変形例に係るプロジェクタ装置のもう１つの映像切替処理の処理手順を示すフローチャートである。
【図５】本発明の実施の形態２に係るプロジェクタ装置の構成及び機能を示すブロック図である。
【図６】実施の形態２に係るプロジェクタ装置の映像切替処理の処理手順を示すフローチャートである。
【符号の説明】
【００６２】
１  端末部、２  投影部、３  ディスプレイ部、４  スクリーン、５  ＨＤＤ（ハードディスクドライブ）、６  操作部、７  画面制御部、８  アンドゥ制御部、９  ＣＰＵ部、１０  画像メモリ部、１１  映像切替部、１２  映像投影部、１３  レイヤ管理部、１４  ＣＰＵ。
【図１】
2007226010.tif 000003
【図２】
2007226010.tif 000004
【図３】
2007226010.tif 000005
【図４】
2007226010.tif 000006
【図５】
2007226010.tif 000007
【図６】
2007226010.tif 000008